(57)【要約】【課題】従来の葺き構造は、屋根材・防水シート・構造合板等が、固定的に取付けられていたので、輻射熱が屋根で吸収され、室温の上昇等という気象条件の影響受けると共に、早期の劣化を招いた。【解決手段】第１の垂木と、この第１の垂木に取付けている第１の構造合板と、この第１の構造合板に取付けられている第１のシートと、この第１のシートに取付けられている第２の垂木と、前記第１のシートと前記第２の垂木とに取付けられて断熱の機能を有する緩衝材と、通気層を形成するように取付けられている断熱材と、この断熱材に取付けられている第２の構造合板と、この第２の構造合板に取付けられている第２のシートと、この第２のシートに取付けられて構成した。これにより、断熱材により輻射熱が屋根内に入らないように遮断することにより、快適な住居条件を備えることが出来る。【選択図】図３
2006226048.tif 000002
【特許請求の範囲】
【請求項１】
第１の垂木と、この第１の垂木に取付けている第１の構造合板と、この第１の構造合板に取付けられている第１のシートと、この第１のシートに取付けられている第２の垂木と、前記第１のシートと前記第２の垂木とに取付けられて断熱の機能を有する緩衝材と、通気層を形成するように取付けられている断熱材と、この断熱材に取付けられている第２の構造合板と、この第２の構造合板に取付けられている第２のシートと、この第２のシートに取付けられている屋根材とを有する屋根の葺き構造。
【請求項２】
第１の垂木と、この第１の垂木に取付けている第１の構造合板と、この第１の構造合板に取付けられている第１のシートと、この第１のシートに取付けられている第２の垂木と、前記第１のシートと前記第２の垂木とに取付けられて断熱の機能を有する緩衝材と、複数個の通気層を形成するように取付けられている断熱材と、この断熱材に取付けられている第２の構造合板と、この第２の構造合板に取付けられている第２のシートと、この第２のシートに取付けられている屋根材とを有する屋根の葺き構造。
【請求項３】
第１の垂木と、この第１の垂木に取付けている第１の構造合板と、この第１の構造合板に取付けられている第１のシートと、この第１のシートに取付けられている第２の垂木と、通気層を形成するように取付けられている断熱材と、この断熱材に取付けられている第２の構造合板と、この第２の構造合板に取付けられている第２のシートと、この第２のシートに取付けられている屋根材とを有する屋根の葺き構造。
【請求項４】
第１の垂木と、この第１の垂木に取付けている第１の構造合板と、この第１の構造合板に取付けられている第１のシートと、この第１のシートに取付けられている第２の垂木と、前記第１のシートと前記第２の垂木とに取付けられて断熱の機能を有する緩衝材と、通気層を形成するように取付けられている断熱材と、この断熱材に取付けられている第２の構造合板と、この第２の構造合板に取付けられている第２のシートと、この第２のシートに取付けられ
自己消化性等の機能を有する屋根材とを有する屋根の葺き構造。
【請求項５】
第１の垂木と、この第１の垂木に取付けている第１の構造合板と、この第１の構造合板に取付けられている第２の垂木と、この第２の垂木に取付けられて断熱の機能を有する緩衝材と、通気層を形成するように取付けられている断熱材と、この断熱材に取付けられている第２の構造合板と、この第２の構造合板に取付けられている第２のシートと、この第２のシートに取付けられている屋根材とを有する屋根の葺き構造。
【請求項６】
第１の垂木と、この第１の垂木に取付けている第１の構造合板と、この第１の構造合板に取付けられている第１のシートと、この第１のシートに取付けられている第２の垂木と、前記第１のシートと前記第２の垂木とに取付けられて断熱の機能を有する緩衝材と、通気層を形成するように取付けられている断熱材と、この断熱材に取付けられている第２の構造合板と、この第２の構造合板に取付けられている第２のシートと、この第２のシートに取付けられている屋根材とを有する屋根の葺き構造。
【請求項７】
請求項２において、自己消化性等の機能を有する屋根材とを有する屋根の葺き構造。
【請求項８】
請求項３において、自己消化性等の機能を有する屋根材とを有する屋根の葺き構造。
【発明の詳細な説明】
【技術分野】
【０００１】
本発明は、屋根の葺き構造に関し，輻射熱の減少等を図る。
【背景技術】
【０００２】
従来の屋根の葺き構造は、垂木に既存下地である構造合板が、釘等により固定している。前記構造合板には、防水シートを、釘等により固定して、この防水シートには、屋根材が釘等により固定している。
【０００３】
以下、図９により従来の屋根の葺き構造について説明する。図９において、第１の垂木１０は、軒桁に所定の傾斜で等間隔で固定され、前記第１の垂木１０は、材木等で構成されている。この第１の垂木１０には、既存下地である第１の構造合板１１０を、釘（図示省略）等により固定し、この第１の構造合板１１０には、構造合板１７０が、釘（図示省略）等により固定している。この構造合板１７０には、防水シート１８０を、釘（図示省略）等により固定し、この防水シート１８０には、弗素樹脂塗装鋼板等から構成され断熱性・遮音性・強度等に優れている屋根材１９０を、釘（図示省略）等により固定している。
【発明の開示】
【発明が解決しようとする課題】
【０００４】
以上に述べた従来の屋根の葺き構造では、屋根材１９０・防水シート１８０・構造合板１７０が固定的に構成され空気の通気が出来ない構造であるので、太陽光による輻射熱が屋根に吸収され、室温の上昇等という気象条件の影響を受けると共に、屋根材１９０・防水シート１８０・構造合板１７０等の早期の劣化を招いた。
【０００５】
本発明は、上記従来の構成が有している問題を解決するものであり、輻射熱が屋根の内部に入らないよう遮断することにより、室内の温度が気象条件の影響を受けないようし、快適な住居条件を備えることが出来る等を目的とする。
【課題を解決するための手段】
【０００６】
そして、本発明は上記目的を達成するために、第１の垂木と、この第１の垂木に取付けている第１の構造合板と、この第１の構造合板に取付けられている第１のシートと、この第１のシートに取付けられている第２の垂木と、前記第１のシートと前記第２の垂木とに取付けられて断熱の機能を有する緩衝材と、通気層を形成するように取付けられている断熱材と、この断熱材に取付けられている第２の構造合板と、この第２の構造合板に取付けられている第２のシートと、この第２のシートに取付けられている屋根材とを設け、輻射熱を断熱材により遮断して、通気層より屋根の外部に放出により室内の温度が気象条件の影響を受けないようすると共に、劣化防止・軽量化・結露の発生防止を図る。
【０００７】
また、第２の解決手段は、第１の垂木と、この第１の垂木に取付けている第１の構造合板と、この第１の構造合板に取付けられている第１のシートと、この第１のシートに取付けられている第２の垂木と、前記第１のシートと前記第２の垂木とに取付けられて断熱の機能を有する緩衝材と、複数個の通気層を形成するように取付けられている断熱材と、この断熱材に取付けられている第２の構造合板と、この第２の構造合板に取付けられている第２のシートと、この第２のシートに取付けられている屋根材とを設け、輻射熱を断熱材により遮断して、気層より屋根の外部に放出により室内の温度が気象条件の影響を受けない共に、劣化防止・軽量化・結露の発生防止を図る。
【０００８】
また、第３の解決手段は、第１の垂木と、この第１の垂木に取付けている第１の構造合板と、この第１の構造合板に取付けられている第１のシートと、この第１のシートに取付けられている第２の垂木と、通気層を形成するように取付けられている断熱材と、この断熱材に取付けられている第２の構造合板と、この第２の構造合板に取付けられている第２のシートと、この第２のシートに取付けられている屋根材とを設け、輻射熱を断熱材により遮断し、通気層より屋根の外部に放出により室内の温度が気象条件の影響を受けないようすると共に、劣化防止・軽量化・結露の発生防止を図る。
【０００９】
また、第４の解決手段は、第１の垂木と、この第１の垂木に取付けている第１の構造合板と、この第１の構造合板に取付けられている第１のシートと、この第１のシートに取付けられている第２の垂木と、前記第１のシートと前記第２の垂木とに取付けられて断熱の機能を有する緩衝材と、通気層を形成するように取付けられている断熱材と、この断熱材に取付けられている第２の構造合板と、この第２の構造合板に取付けられている第２のシートと、この第２のシートに取付けられ自己消化性等の機能を有する屋根材とを設け、輻射熱を断熱材により遮断して、通気層より屋根の外部に放出により室内の温度が気象条件の影響を受けないようすると共に、劣化防止・軽量化・結露の発生防止を図る。
【００１０】
また、第５の解決手段は、第１の垂木と、この第１の垂木に取付けている第１の構造合板と、この第１の構造合板に取付けられている第２の垂木と、この第２の垂木に取付けられて断熱の機能を有する緩衝材と、通気層を形成するように取付けられている断熱材と、この断熱材に取付けられている第２の構造合板と、この第２の構造合板に取付けられている第２のシートと、この第２のシートに取付けられている屋根材とを設け、輻射熱を断熱材により遮断し、通気層より屋根の外部に放出により室内の温度が気象条件の影響を受けないようすると共に、劣化防止・軽量化・結露の発生防止を図る。
【００１１】
また、第６の解決手段は、第１の垂木と、この第１の垂木に取付けている第１の構造合板と、この第１の構造合板に取付けられている第１のシートと、この第１のシートに取付けられている第２の垂木と、前記第１のシートと前記第２の垂木とに取付けられて断熱の機能を有する緩衝材と、通気層を形成するように取付けられている断熱材と、この断熱材に取付けられている第２の構造合板と、この第２の構造合板に取付けられている第２のシートと、この第２のシートに設け、輻射熱を断熱材により遮断して、通気層より屋根の外部に放出により室内の温度が気象条件の影響を受けないようすると共に、劣化防止・軽量化・結露の発生防止を図る。
【００１２】
また、第７の解決手段は、自己消化性等の機能を有する屋根材を設け、輻射熱を断熱材により遮断し、通気層より屋根の外部に放出により室内の温度が気象条件の影響を受けないようすると共に、劣化防止・軽量化・結露の発生防止を図る。
【発明の効果】
【００１３】
上述したように本発明の屋根の葺き構造は、断熱材により太陽光の輻射熱が屋根の内部に入らないよう遮断することにより、室内の温度が気象条件の影響を受けないようになるので、快適な住居条件を備えることが出来る。
【００１４】
また、通気層により太陽光の輻射熱が屋根の外部に放出されるので、室内の温度が気象条件の影響を受けないようになるので、快適な住居条件を備えることが出来る。さらに、通気層により結露の発生を防止することが出来るので、水分による垂木等の腐食を防止することが出来る。
【００１５】
瓦葺き構造に比較して重量が、約１０分に軽減されるので、耐震構造として強さが向上する。また、瓦葺き構造では、約５年毎に保守点検を必要とされていたが、本発明では、約１０年に延長される。      
【発明を実施するための最良の形態】
【００１６】
以下、最良の形態の実施例について説明する。
【実施例１】
【００１７】
図１は、家屋全体１の概略構成図を示し、２は屋根である。図２は、図１の家屋全体１の主要構造のうち基礎・土台・柱・軒桁・垂木等の概略構成図を示し、１０は第１の垂木である。
図３において、第１の垂木１０は、図２の軒桁に所定の傾斜で等間隔で固定され、前記第１の垂木１０は、材木等で構成されている。この第１の垂木１０には、既存下地である第１の構造合板１１を、釘（図示省略）等により固定している。前記第１の構造合板１１には、ポリエチレンを連続的に紡糸した極細繊維をシート状にし繊維同士を高温高圧で結合した長繊維不織布等から構成され表面が防水の機能を有し裏面が透水・防黴の機能を有しているシート１２を、細い釘又はホッチキス（図示省略）等により固定している。このシート１２には、第２の垂木１３が釘（図示省略）等により固定している。前記シート１２と前記第２の垂木１３に固定している状態で、押出ポリスチレンフォーム保温板等から構成され断熱の機能を有する緩衝材１５を取付ける。このような取付け状態において、通気層１４を形成するように、押出ポリスチレンフォーム保温板等から構成されている断熱材１６を、前記緩衝材１５に取付ける。前記第２の垂木１３及び前記断熱材１６には、第２の構造合板１７が、釘（図示省略）等により固定している。この第２の構造合板１７には、防水シート１８を、釘（図示省略）等により固定している。この防水シート１８には、弗素樹脂塗装鋼板等から構成され断熱性・遮音性・強度等に優れている屋根材１９を、釘（図示省略）等により固定している。
【００１８】
上記構成の本発明の第１実施においては、防湿・防黴用シート１２と、緩衝材１５と、断熱材１６とで、通気層１4が形成している。このため、太陽光による輻射熱の大部分は、断熱材１６により遮断されると共に、この輻射熱は第１の通気層１４より屋根２の外部に放出される。この輻射熱の外部の放出により、輻射熱が屋根２に蓄積されることがないので、室内の温度が気象条件の影響を受けない。
【実施例２】
【００１９】
本発明の実施例２の図４において、第１の垂木１０は、軒桁に所定の傾斜で等間隔で固定され、前記第１の垂木１０は、材木等で構成されている。この第１の垂木１０には、既存下地である第１の構造合板１１を、釘（図示省略）等により固定している。前記第１の構造合板１１には、ポリエチレンを連続的に紡糸した極細繊維をシート状にし繊維同士を高温高圧で結合した長繊維不織布等から構成され表面が防水の機能を有し裏面が透水・防黴の機能を有しているシート１２を、細い釘又はホッチキス（図示省略）等により固定している。このシート１２には、第２の垂木１３が釘（図示省略）等により固定している。前記防湿・防黴用シート１２と前記第２の垂木１３に固定している状態で、通気層１４A及び通気層１４Bを形成するように、押出ポリスチレンフォーム保温板等から構成され断熱の機能を有する断熱材１６を、前記第２の垂木１３に釘（図示省略）等により固定している。このように前記通気層１４A及び通気層１４Bを形成した状態において、前記第２の垂木１３に、第２の構造合板１７を釘（図示省略）等により固定している。この第２の構造合板１７には、防水シート１８を、釘（図示省略）等により固定している。この防水シート１８には、弗素樹脂塗装鋼板等から構成され断熱性・遮音性・強度等に優れている屋根材１９を、釘（図示省略）等により固定している。
【００２０】
上記構成の本発明の第２実施においては、シート１２と、緩衝材１５と、断熱材１６とで、第１の空気層１４A及び第２の空気層１４Bが形成している。このため、太陽光による輻射熱の大部分は、断熱材１６により遮断されると共に、この輻射熱は第１の空気層１４A及び第２の空気層１４Bより屋根２の外部に放出される。この輻射熱の外部の放出により、輻射熱が屋根２に蓄積されることがないので、室内の温度が気象条件の影響を受けない。この場合、本発明の第２実施例は、２個所に空気層が形成されているので、前記第１実施例に比較して、輻射熱を外部に放出する効率が向上している。
【実施例３】
【００２１】
本発明の実施例３の図５において、第１の垂木１０は、軒桁に所定の傾斜で等間隔で固定され、前記第１の垂木１０は、材木等で構成されている。この第１の垂木１０には、既存下地である第１の構造合板１１を、釘（図示省略）等により固定している。前記第１の構造合板１１には、ポリエチレンを連続的に紡糸した極細繊維をシート状にし繊維同士を高温高圧で結合した長繊維不織布等から構成され表面が防水の機能を有し裏面が透水・防黴の機能を有しているシート１２を、細い釘又はホッチキス（図示省略）等により固定している。このシート１２には、第２の垂木１３が釘（図示省略）等により固定している。前記シート１２と前記第２の垂木１３に固定している状態で、通気層１４を形成するように、押出ポリスチレンフォーム保温板等から構成され断熱の機能を有する断熱材１６を取付ける。このようにして、通気層１４を形成した状態において、前記第２の垂木１３には、第２の構造合板１７が釘（図示省略）等により固定している。この第２の構造合板１７には、防水シート１８を、釘（図示省略）等により固定している。この防水シート１８には、弗素樹脂塗装鋼板等から構成され断熱性・遮音性・強度等に優れている屋根材１９を、釘（図示省略）等により固定している。
【００２２】
上記構成の本発明の実施例３においては、第２垂木１３と、断熱材１６と、第２構造合板１７とで、通気層１4が形成している。このため、太陽光による輻射熱の大部分は、断熱材１６により遮断されると共に、この輻射熱は第１の空気層１４A及び第２の空気層１４Bより屋根２の外部に放出される。この輻射熱の外部の放出により、輻射熱が屋根２に蓄積されることがないので、室内の温度が気象条件の影響を受けない。
【実施例４】
【００２３】
本発明の実施例４の図６において、第１の垂木１０は、軒桁に所定の傾斜で等間隔で固定され、前記第１の垂木１０は、材木等で構成されている。この第１の垂木１０には、既存下地である第１の構造合板１１を、釘（図示省略）等により固定している。前記第１の構造合板１１には、ポリエチレンを連続的に紡糸した極細繊維をシート状にし繊維同士を高温高圧で結合した長繊維不織布等から構成され表面が防水の機能を有し裏面が透水・防黴の機能を有しているシート１２を、細い釘又はホッチキス（図示省略）等により固定している。このシート１２には、第２の垂木１３が釘（図示省略）等により固定している。前記シート１２と前記第２の垂木１３に固定している状態で、押出ポリスチレンフォーム保温板等から構成され断熱材の機能を有する緩衝材１５を取付ける。このような取付け状態において、通気層１４を形成するように、押出ポリスチレンフォーム保温板等から構成されている断熱材１６を、前記緩衝材１５に取付ける。前記第２の垂木１３及び前記断熱材１６には、第２の構造合板１７が、釘（図示省略）等により固定している。この第２の構造合板１７には、防水シート１８を、釘（図示省略）等により固定している。この防水シート１８には、発泡ポリスチレン・自己消化性等有する断熱材２０を、釘（図示省略）等により固定している。
【００２４】
上記構成の本発明の第４実施においては、防湿・防黴用シート１２と、緩衝材１５と、断熱材１６とで、通気層１4が形成している。このため、太陽光による輻射熱の大部分は、断熱材１６により遮断されると共に、この輻射熱は第１の空気層１４より屋根２の外部に放出される。この輻射熱の外部の放出により、輻射熱が屋根２に蓄積されることがないので、室内の温度が気象条件の影響を受けない。また、発泡ポリスチレン・自己消化性等有する断熱材２０を、屋根材として使用しているので、躯体の防湿・防蝕等により結露の発生による黴等の発生防止等が顕著になる。
【実施例５】
【００２５】
本発明の実施例５の図７において、第１の垂木１０は、軒桁に所定の傾斜で等間隔で固定され、前記第１の垂木１０は、材木等で構成されている。この第１の垂木１０には、既存下地である第１の構造合板１１を、釘（図示省略）等により固定している。前記第１の構造合板１１には、第２の垂木１３が釘（図示省略）等により固定している。前記第１の構造合板１１が前記第２の垂木１３と固定している状態において、押出ポリスチレンフォーム保温板等から構成され断熱材の機能を有する緩衝材１５を取付ける。このような取付け状態において、通気層１４を形成するように、押出ポリスチレンフォーム保温板等から構成されている断熱材１６を、前記緩衝材１５に取付ける。前記第２の垂木１３及び前記断熱材１６には、第２の構造合板１７が、釘（図示省略）等により固定している。この第２の構造合板１７には、防水シート１８を、釘（図示省略）等により固定している。この防水シート１８には、弗素樹脂塗装鋼板等から構成され断熱性・遮音性・強度等に優れている屋根材１９を、釘（図示省略）等により固定している。
【００２６】
上記構成の本発明の第５実施においては、第１の構造合板１１と、緩衝材１５と、断熱材１６とで、通気層１4が形成している。このため、太陽光による輻射熱の大部分は、断熱材１６により遮断されると共に、この輻射熱は空気層１４により屋根２の外部に放出される。この輻射熱の外部の放出により、輻射熱が屋根２に蓄積されることがないので、室内の温度が気象条件の影響を受けない。また、前記実施例１〜前記実施例４における構成と比較して、本実施例５においては、防湿・防錆用シートを使用していないので、安価である。
【実施例６】
【００２７】
本発明の実施例６の図８において、第１の垂木１０は、軒桁に所定の傾斜で等間隔で固定され、前記第１の垂木１０は、材木等で構成されている。この第１の垂木１０には、既存下地である第１の構造合板１１を、釘（図示省略）等により固定している。前記第１の構造合板１１には、ポリエチレンを連続的に紡糸した極細繊維をシート状にし繊維同士を高温高圧で結合した長繊維不織布等から構成され表面が防水の機能を有し裏面が透水・防黴の機能を有しているシート１２を、細い釘又はホッチキス（図示省略）等により固定している。このシート１２には、第２の垂木１３が釘（図示省略）等により固定している。前記シート１２と前記第２の垂木１３に固定している状態で、押出ポリスチレンフォーム保温板等から構成され断熱材の機能を有する緩衝材１５を取付ける。このような取付け状態において、通気層１４を形成するように、押出ポリスチレンフォーム保温板等から構成されている断熱材１６を、前記緩衝材１５に取付ける。前記第２の垂木１３及び前記断熱材１６には、防水シート１８を、釘（図示省略）等により固定している。この防水シート１８には、弗素樹脂塗装鋼板等から構成され断熱性・遮音性・強度等に優れている屋根材１９を、釘（図示省略）等により固定している。
【００２８】
上記構成の本発明の第６実施においては、シート１２と、緩衝材１５と、断熱材１６とで、通気層１4が形成している。このため、太陽光による輻射熱の大部分は、断熱材１６により遮断されると共に、この輻射熱は第１の通気層１４より屋根２の外部に放出される。この輻射熱の外部の放出により、輻射熱が屋根２に蓄積されることがないので、室内の温度が気象条件の影響を受けない。また、前記実施例１〜前記実施例５における構成と比較して、本実施例６においては、第２の構造合板を使用していないので、安価である。
【実施例７】
【００２９】
実施例７の構成に関しては、前記実施例２・前記実施例３・と同一構成部分の説明は、図を省略して説明する。実施例７においての構成と、前記実施例２の構成との相違を比較すると、実施例２の弗素樹脂塗装鋼板等から構成されている屋根材１９の代わりに、本実施例７では、発泡ポリスチレン・自己消化性等有する断熱材を、屋根材として使用している。
【００３０】
上記構成の実施例７においは、シート１２と、緩衝材１５と、断熱材１６とで、通気層１4が形成している。このため、太陽光による輻射熱の大部分は、断熱材１６により遮断されると共に、この輻射熱は通気層１４・第１の通気層１４A及び第２の通気層１４Bより屋根２の外部に放出される。この輻射熱の外部の放出により、輻射熱が屋根２に蓄積されることがないので、室内の温度が気象条件の影響を受けない。また、発泡ポリスチレン・自己消化性等有する断熱材を、屋根材として使用しているので、躯体の防湿・防蝕等により結露の発生による黴等の発生防止等が顕著になる。
【図面の簡単な説明】
【００３１】
【図１】本発明に係わる屋根を有する住宅の概略構成図
【図２】図１における第１の垂木の説明図
【図３】本発明の実施例１の概略構成図
【図４】本発明の実施例２の概略構成図
【図５】本発明の実施例３の概略構成図
【図６】本発明の実施例４の概略構成図
【図７】本発明の実施例６の概略構成図
【図８】本発明の実施例７の概略構成図
【図９】従来の屋根の葺き構造の概略構成図
【符号の説明】
【００３２】
１０      第1の垂木
１１      第1の構造合板
１２      第1のシート
１３      第2の垂木
１４      通気層
１４Ａ    通気層
１４Ｂ    通気層
１５      緩衝材
１６      断熱材
１７      第2の構造合板
１８      第2のシート
１９      屋根材
２０      屋根材
【図１】
2006226048.tif 000003
【図２】
2006226048.tif 000004
【図３】
2006226048.tif 000005
【図４】
2006226048.tif 000006
【図５】
2006226048.tif 000007
【図６】
2006226048.tif 000008
【図７】
2006226048.tif 000009
【図８】
2006226048.tif 000010
【図９】
2006226048.tif 000011